(57)【要約】【課題】コンパクトで高変倍比を有し、像ぶれ補正用の補正レンズ群が小型軽量でありかつ像ぶれ補正時の光学性能を良好に保つズームレンズの提供を目的とする。【解決手段】物体側より像面側へ順に、正の屈折力の第１レンズ群、負の屈折力の第２レンズ群、正の屈折力の第３レンズ群、負の屈折力の第４レンズ群、正の屈折力の第５レンズ群を有し、各レンズ群の間隔を変化させてズーミングを行い、該第４レンズ群は負レンズ１枚から成り、該第４レンズ群を光軸と垂直方向の成分を持つように移動させてズームレンズ光学系が振動したときの撮影画像のブレを補正し、該第４レンズ群の材料の屈折率をｎｄ４、アッべ数をνｄ４、レンズ全系の望遠端での焦点距離をｆｔ、該第２レンズ群の焦点距離をｆ２とするとき、下記条件式を満足すること。      νｄ４＞６６      ｎｄ４＋０．００５・νｄ４＞１．８７５      ０．０３＜｜ｆ２｜／ｆｔ＜０．０９【選択図】図１
2016014803.tif 000002
【特許請求の範囲】
【請求項１】
Ａ．物体側より像面側へ順に、正の屈折力の第１レンズ群、負の屈折力の第２レンズ群、正の屈折力の第３レンズ群、負の屈折力の第４レンズ群、正の屈折力の第５レンズ群を有し、
Ｂ．各レンズ群の間隔を変化させてズーミングを行い、
Ｃ．該第４レンズ群は負レンズ１枚から成り、
Ｄ．該第４レンズ群を光軸と垂直方向の成分を持つように移動させてズームレンズ光学系が振動したときの撮影画像のブレを補正し、
Ｅ．該第４レンズ群の材料の屈折率をｎｄ４、アッべ数をνｄ４、レンズ全系の望遠端での焦点距離をｆｔ、該第２レンズ群の焦点距離をｆ２とするとき、下記条件式を満足することを特徴とするズームレンズ。
νｄ４＞６６
ｎｄ４＋０．００５・νｄ４＞１．８７５
０．０２＜｜ｆ２｜／ｆｔ＜０．０９
【請求項２】
前記第４レンズ群の焦点距離をｆ４とするとき、
０．１＜｜ｆ４｜／ｆｔ＜０．５
なる条件を満足することを特徴とする請求項１に記載のズームレンズ。
【請求項３】
前記第４レンズ群の負レンズの物体側と像面側の曲率半径をそれぞれＲ４ａ、Ｒ４ｂとするとき、
−０．４＜（Ｒ４ａ＋Ｒ４ｂ）／（Ｒ４ｂ−Ｒ４ａ）＜０．２
なる条件を満足することを特徴とする請求項１又は請求項２に記載のズームレンズ。
【請求項４】
前記第２レンズ群の最も物体側に配置された負レンズの材料のｄ線での屈折率をｎｄ２とするとき、
ｎｄ２＞１．９
なる条件を満足することを特徴とする請求項１乃至請求項３の何れか一項に記載のズームレンズ。
【請求項５】
前記第３レンズ群の負レンズの材料のｄ線での屈折率をｎｄ３とするとき、
ｎｄ３＞１．９
なる条件を満足する負レンズを有することを特徴とする請求項１乃至請求項４の何れか一項に記載のズームレンズ。
【請求項６】
前記レンズ全系の望遠端での焦点距離をｆｔ、前記第１レンズ群の焦点距離をｆ１とするとき、
６．０＜ｆ１／ｆｗ＜１２．０
なる条件を満足することを特徴とする請求項１乃至請求項５の何れか一項に記載のズームレンズ。
【請求項７】
前記第４レンズ群と前記第５レンズ群の望遠端での横倍率をそれぞれβ４ｔ、β５ｔとするとき、
−１．５＜（１−β４ｔ）・β５ｔ＜−０．７
なる条件を満足することを特徴とする請求項１乃至請求項６の何れか一項に記載のズームレンズ。
【請求項８】
前記第３レンズ群の焦点距離をｆ３とするとき、
１．０＜｜ｆ４｜／ｆ３＜４．０
なる条件を満足することを特徴とする請求項１乃至請求項７の何れか一項に記載のズームレンズ。
【請求項９】
望遠端における前記第３レンズ群と前記第４レンズ群との間隔および前記第４レンズ群と前記第５レンズ群との間隔をそれぞれｄ３４ｔ、ｄ４５ｔとするとき、
１．０＜ｄ４５ｔ／ｄ３４ｔ＜７．０
なる条件を満足することを特徴とする請求項１乃至請求項８の何れか一項に記載のズームレンズ。
【請求項１０】
前記第２レンズ群の広角端から望遠端にかけての移動量をｍ２、前記第２レンズ群の広角端と望遠端での横倍率をそれぞれβ２ｗ、β２ｔとするとき、
−０．１＜（ｍ２／ｆ２）／（β２ｔ／β２ｗ）＜０．２
なる条件を満足することを特徴とする請求項１乃至請求項９の何れか一項に記載のズームレンズ。ただし、ｍ２の符号は、広角端より望遠端で像面側に移動する方向を正とする。
【請求項１１】
前記第５レンズ群の焦点距離をｆ５とするとき、
−１．２＜ｆ５／ｆ４＜−０．７
なる条件を満足することを特徴とする請求項１乃至請求項１０の何れか一項に記載のズームレンズ。
【請求項１２】
前記第３レンズ群の最も強い屈折力を有する負レンズの焦点距離をｆ３ｎとするとき、
０．６＜｜ｆ３ｎ｜／ｆ３＜１．５
なる条件を満足する負レンズを有することを特徴とする請求項１乃至請求項１１の何れか一項に記載のズームレンズ。
【請求項１３】
固体撮像素子上に像を形成することを特徴とする請求項１乃至請求項１２の何れか一項に記載のズームレンズ。
【請求項１４】
請求項１乃至請求項１３の何れか一項に記載のズームレンズと、該ズームレンズによって形成される像を受光する固体撮像素子とを有していることを特徴とする撮像装置。
【発明の詳細な説明】
【技術分野】
【０００１】
本発明は、ズームレンズ及びそれを有する撮像装置に関し、特にビデオカメラや電子スチルカメラ、放送用カメラ、監視カメラ等のように固体撮像素子を用いた撮像装置、或いは銀塩写真用のカメラ等に好適なものである。
【背景技術】
【０００２】
固体撮像素子を用いたビデオカメラ、デジタルスチルカメラ、放送用カメラ、監視カメラ、そして銀塩フィルムを用いたカメラ等の撮像装置に用いるズームレンズとして、光学系全体がコンパクトで高変倍比を有し、しかも高解像力が要求されている。
【０００３】
これらの要求に応えるズームレンズとして、物体側に正の屈折力のレンズ群を配置したポジティブリード型のズームレンズが知られている。
【０００４】
ポジティブリード型のズームレンズとして、物体側より順に正、負、正、負、正の屈折力のレンズ群より成る５群構成のズームレンズが知られている。
【０００５】
５群構成のズームレンズで負の屈折力の第４レンズ群を１つのレンズ成分で構成したズームレンズが知られている（特許文献１〜２）。
【０００６】
５群構成のズームレンズは、物体側より順に正、負、正、正の屈折力のレンズ群より成る４群構成のズームレンズに比べ、高変倍比を得やすい特徴がある。
【０００７】
また撮影系に手ぶれ等により偶発的に振動が伝わったときに生じる画像のぶれ（像ぶれ）を一部のレンズ群を光軸と垂直方向に移動させて補正する防振機能を有したズームレンズが知られている。
【０００８】
またズーミング中固定で、負の屈折力の第４レンズ群を光軸と垂直方向に移動させて像ぶれを補正するようにした防振機能を有したものが知られている（特許文献１）。
【先行技術文献】
【特許文献】
【０００９】
【特許文献１】特開２００８−１２９０７６号公報
【特許文献２】特開２０１１−７５９７５号公報
【発明の概要】
【発明が解決しようとする課題】
【００１０】
撮像装置の高度化に伴い、コンパクトで高変倍比を有し、像ぶれ補正時にも高い光学性能を保持する防振機能を備えたズームレンズが要求されている。
【００１１】
ズームレンズを構成するレンズの一部を補正レンズ群として光軸と垂直方向に移動させて像ぶれ補正を行う際、像ぶれ補正時にも高い光学性能を保持すると共に、補正レンズの移動機構の小型化と省電力化を図るために補正レンズ群の小型化が求められている。
【００１２】
補正レンズ群を構成するレンズ枚数を多くすることで像ぶれ補正時の偏心収差をより小さくできるが、高重量となり電気的駆動を行う際に大きなトルクを必要とするため、光学系全体が大型化する。
【００１３】
そのため構成レンズ枚数の多い第３レンズ群ではなく、少ないレンズ枚数の第４レンズ群で行うと、光学系全体のコンパクト化に有利である。
【００１４】
一般にズームレンズを高倍化すると、一定の像ぶれ補正角に必要な望遠側での補正レンズ群のシフト量は大きくなる。
【００１５】
従来技術ではズーム比が１０〜１４倍程度のレンズに対応していたが、さらなる高倍化を実現しようとすると像ぶれ補正時において特に望遠側において補正レンズ群で発生する偏心収差が大きくなり、光学性能の保持が必ずしも十分とは言えなかった。
【００１６】
また補正レンズ群がズーミングで光軸方向に固定とすると防振機構の簡略化には有利であるが、変倍比を大きく取れないため高変倍化には不利となる。
【００１７】
本発明は、コンパクトで高変倍比を有し、像ぶれ補正用の補正レンズ群が小型軽量でありかつ像ぶれ補正時の光学性能を良好に保つズームレンズの提供を目的とする。
【課題を解決するための手段】
【００１８】
上記目的を達成するために、本発明のズームレンズは、
Ａ．物体側より像面側へ順に、正の屈折力の第１レンズ群、負の屈折力の第２レンズ群、正の屈折力の第３レンズ群、負の屈折力の第４レンズ群、正の屈折力の第５レンズ群を有し、
Ｂ．各レンズ群の間隔を変化させてズーミングを行い、
Ｃ．該第４レンズ群は負レンズ１枚から成り、
Ｄ．該第４レンズ群を光軸と垂直方向の成分を持つように移動させてズームレンズ光学系が振動したときの撮影画像のブレを補正し、
Ｅ．該第４レンズ群の材料の屈折率をｎｄ４、アッべ数をνｄ４、レンズ全系の望遠端での焦点距離をｆｔ、該第２レンズ群の焦点距離をｆ２とするとき、下記条件式を満足することを特徴とするズームレンズ。
【００１９】
νｄ４＞６６
ｎｄ４＋０．００５・νｄ４＞１．８７５
０．０３＜｜ｆ２｜／ｆｔ＜０．０９
【発明の効果】
【００２０】
本発明によれば、コンパクトで高変倍比を有し、像ぶれ補正用の補正レンズ群が小型軽量で像ぶれ補正が容易に行え、像ぶれ補正時にも高い光学性能を保持する防振機能を備えたズームレンズを提供することができる。
【図面の簡単な説明】
【００２１】
【図１】本発明の実施例１の広角端におけるレンズ断面図。
【図２】（Ａ）、（Ｂ）、（Ｃ）  本発明の実施例１の広角端、中間ズーム位置、望遠端における収差図。
【図３】（Ａ）、（Ｂ）  本発明の数値実施例１の望遠端における像ぶれ補正前後の横収差図。像ぶれ補正角は０．３°で補正レンズ群のシフト量は０．４９９ｍｍである。
【図４】本発明の実施例２の広角端におけるレンズ断面図
【図５】（Ａ）、（Ｂ）、（Ｃ）  本発明の実施例２の広角端、中間ズーム位置、望遠端における収差図。
【図６】（Ａ）、（Ｂ）  本発明の数値実施例２の望遠端における像ぶれ補正前後の横収差図。像ぶれ補正角は０．３°で補正レンズ群のシフト量は０．４８３ｍｍである。
【図７】本発明の実施例３の広角端におけるレンズ断面図。
【図８】（Ａ）、（Ｂ）、（Ｃ）  本発明の実施例３の広角端、中間ズーム位置、望遠端における収差図。
【図９】（Ａ）、（Ｂ）  本発明の数値実施例３の望遠端における像ぶれ補正前後の横収差図。像ぶれ補正角は０．３°で補正レンズ群のシフト量は０．５１０ｍｍである。
【図１０】本発明の実施例４の広角端におけるレンズ断面図。
【図１１】（Ａ）、（Ｂ）、（Ｃ）  本発明の実施例４の広角端、中間ズーム位置、望遠端における収差図。
【図１２】（Ａ）、（Ｂ）  本発明の数値実施例４の望遠端における像ぶれ補正前後の横収差図。像ぶれ補正角は０．５°で補正レンズ群のシフト量は０．６９３ｍｍである。
【図１３】本発明の実施例５の広角端におけるレンズ断面図。
【図１４】（Ａ）、（Ｂ）、（Ｃ）  本発明の実施例５の広角端、中間ズーム位置、望遠端における収差図。
【図１５】（Ａ）、（Ｂ）  本発明の数値実施例５の望遠端における像ぶれ補正前後の横収差図。像ぶれ補正角は０．３°で補正レンズ群のシフト量は０．６８３ｍｍである。
【図１６】本発明のズームレンズをデジタルカメラに適用したときの要部概略図。
【発明を実施するための形態】
【００２２】
以下、本発明の防振機能を有したズームレンズ及びそれを有する撮像装置について説明する。本発明のズームレンズは、物体側より像側へ順に、正の屈折力の第１レンズ群、負の屈折力の第２レンズ群、正の屈折力の第３レンズ群、負の屈折力の第４レンズ群、正の屈折力の第５レンズ群を有している。
【００２３】
本構成とすることで、高倍化とコンパクト化を両立するズームレンズを実現している。例えば正、負、正、正の４群構成に比較して、絞りより像面側に発散作用のある負の屈折力のレンズ群を配置しているため、特に前玉有効径の小型化を達成しやすい。
【００２４】
後述するように第４レンズ群は、像ぶれ補正時に光軸と垂直方向の成分を持つように移動する補正レンズ群である。
【００２５】
各実施例のズームレンズはビデオカメラやデジタルカメラそして銀塩フィルムカメラ等の撮像装置に用いられる撮影レンズ系である。
【００２６】
レンズ断面図において左方が被写体側（物体側）で、右方が像側である。
【００２７】
図１、図４、図７、図１０、図１３の実施例１〜５のレンズ断面図において、Ｌ１は正の屈折力の第１レンズ群、Ｌ２は負の屈折力の第２レンズ群、Ｌ３は正の屈折力の第３レンズ群、Ｌ４は負の屈折力の第４レンズ群、Ｌ５は正の屈折力の第５レンズ群である。
【００２８】
ＳＰは開口絞り、Ｇは光学フィルター、フェースプレート、水晶ローパスフィルター、赤外カットフィルター等に相当する光学ブロックである。
【００２９】
ＩＰは像面であり、ビデオカメラやデジタルスチルカメラの撮影光学系として使用する際にはＣＣＤセンサやＣＭＯＳセンサ等の固体撮像素子（光電変換素子）の撮像面に、銀塩フィルム用カメラのときはフィルム面に相当する感光面が置かれる。
【００３０】
収差図において、ｄ、ｇは各々ｄ線（波長５８７．５６ｎｍ）、及びｇ線（波長４３５．８ｎｍ）である。ΔＭ，ΔＳはメリディオナル像面、サジタル像面である。倍率色収差はｇ線によって表している。
【００３１】
横収差図において、Ｍ、Ｓはそれぞれメリジオナル面光束、サジタル面光束の横収差である。
【００３２】
ωは半画角（撮影画角の半分の値）、ＦｎｏはＦナンバーである。尚、以下の各実施例において広角端と望遠端は変倍用レンズ群が機構上光軸上を移動可能な範囲の両端に位置したときのズーム位置をいう。各実施例において矢印は、広角端から望遠端へのズーミング又はフォーカスに際しての移動軌跡を示している。
【００３３】
各実施例においては、第５レンズ群を移動させてフォーカスを行っている。
【００３４】
第４レンズ群Ｌ４は、光軸と垂直方向の成分を持つように移動して、全系の結像位置を光軸と垂直方向に変化させている。
【００３５】
そして第４レンズ群Ｌ４は負レンズ１枚から構成し、補正レンズを小型軽量化することで移動機構の小型化と省電力化を行い、光学系全体をコンパクトにしている。
【００３６】
また負の屈折力の第４レンズ群Ｌ４は、２つの正の屈折力を有する第３レンズ群Ｌ３と第５レンズ群Ｌ５との間に配置することで、テレセントリック性を確保しながら第４レンズ群を通過する光線高さを低くすることが可能となる。
【００３７】
そのため第４レンズ群Ｌ４のレンズ有効径が小さくてすみ、防振ユニットの小型化を図れると同時に、第４レンズ群Ｌ４のレンズ成分に強い屈折力を与えることができ防振に伴う偏心収差が良好に補正しやすいというメリットがある。
【００３８】
１０倍を超える高変倍比を達成しながら、望遠側で像ぶれ補正時に高い光学性能を保持するために、各レンズ群の屈折力配置の適正化に加えて、偏心収差の抑制を考慮して補正レンズの材料の光学定数を設定している。
【００３９】
各実施例において、第４レンズ群Ｌ４の材料の屈折率をｎｄ４、アッべ数をνｄ４、レンズ全系の望遠端での焦点距離をｆｔ、第２レンズ群Ｌ２の焦点距離をｆ２とするとき、
νｄ４＞６６‥‥‥（１）
ｎｄ４＋０．００５・νｄ４＞１．８７５‥‥‥（２）
０．０３＜｜ｆ２｜／ｆｔ＜０．０９‥‥‥（３）
なる条件式を満足する。
【００４０】
条件式（１）〜（３）の技術的意味について説明する。条件式（１）と（２）は、第４レンズ群Ｌ４のレンズの材料を規定するものである。条件式（１）の下限値を超えて第４レンズ群Ｌ４のレンズ材料のアッべ数が小さくなり、分散が大きくなりすぎると、像ぶれ補正の際に光軸と垂直方向に移動時の第４レンズ群Ｌ４で発生する偏心色収差が大きくなりすぎる。そのため特に望遠端近傍で、像ぶれ補正時に高い光学性能を保持することが困難となる。条件式（２）の下限値を超えて第４レンズ群Ｌ４のレンズ材料の屈折率が小さくなりすぎると、第４レンズ群Ｌ４に付与できる屈折力が小さくなり、像ぶれ補正時の光軸に垂直方向の移動量が大きくなりすぎ、防振機構が大型化して光学系全体が大型化してしまう。条件式（３）は第２レンズ群Ｌ２の屈折力を規定するものである。レンズ系をコンパクト化しながら高変倍比を達成するためには、第２レンズ群Ｌ２の屈折力を適切な範囲で強める必要がある。
【００４１】
条件式（３）の上限値を超えて第２レンズ群Ｌ２の焦点距離が大きくなる、すなわち屈折力が弱くなりすぎると、第２レンズ群Ｌ２で十分な変倍比を確保できず高変倍比を実現することが困難となる。
【００４２】
条件式（３）の下限値を超えて第２レンズ群Ｌ２の屈折力が強くなりすぎると、第２レンズ群Ｌ２で発生する倍率色収差、像面湾曲、非点収差およびコマ収差のズーミングに伴う変動量が大きくなりすぎ、高変倍比の達成が困難となる。
【００４３】
さらに好ましくは条件式（１）〜（３）の数値範囲を次の如く設定するのが良い。
【００４４】
νｄ４＞６７‥‥‥（１ａ）
２．３＞ｎｄ４＋０．００５・νｄ４＞１．９２５‥‥‥（２ａ）
０．０４＜｜ｆ２｜／ｆｔ＜０．０８９‥‥‥（３ａ）
またさらに好ましくは条件式（３）の数値範囲を次の如く設定するのが良い。
【００４５】
０．０５＜｜ｆ２｜／ｆｔ＜０．０８８‥‥‥（３ｂ）
以上のように構成することにより、コンパクトで高変倍比を有し、像ぶれ補正用の補正レンズ群が小型軽量で像ぶれ補正が容易に行え、像ぶれ補正時にも高い光学性能を保持する防振機能を備えたズームレンズが得られる。
【００４６】
各実施例において、好ましくは次の諸条件のうちの１以上を満足するのが良い。
【００４７】
広角端におけるレンズ全系の焦点距離をｆｗ、第１レンズ群Ｌ１〜第５レンズ群Ｌ５の焦点距離をそれぞれｆ１〜ｆ５、第４レンズ群Ｌ４の負レンズの物体側と像面側の曲率半径をそれぞれＲ４ａ、Ｒ４ｂとする。
【００４８】
第２レンズ群Ｌ２の最も物体側に配置された負レンズの材料のｄ線での屈折率をｎｄ２、第３レンズ群Ｌ３の最も強い屈折力を有する負レンズの材料のｄ線での屈折率をｎｄ３とする。
【００４９】
第４レンズ群Ｌ４と第５レンズ群Ｌ５の望遠端での横倍率をそれぞれβ４ｔとβ５ｔ、望遠端における第３レンズ群Ｌ３と第４レンズ群Ｌ４との間隔および第４レンズ群Ｌ４と第５レンズ群Ｌ５との間隔をそれぞれｄ３４ｔ、ｄ４５ｔとする。
【００５０】
第２レンズ群の広角端から望遠端にかけての移動量をｍ２、第３レンズ群の最も強い屈折力を有する負レンズの焦点距離をｆ３ｎとする。ｍ２の符号は、広角端に比べ望遠端で像面側に位置するように移動する場合を正とする。
【００５１】
このとき、
０．１＜｜ｆ４｜／ｆｔ＜０．５‥‥‥（４）
−０．４＜（Ｒ４ａ＋Ｒ４ｂ）／（Ｒ４ｂ−Ｒ４ａ）＜０．２‥‥‥（５）
ｎｄ２＞１．９‥‥‥（６）
ｎｄ３＞１．９‥‥‥（７）
６．０＜ｆ１／ｆｗ＜１２．０‥‥‥（８）
−１．５＜（１−β４ｔ）・β５ｔ＜−０．７‥‥‥（９）
１．０＜｜ｆ４｜／ｆ３＜４．０‥‥‥（１０）
１．０＜ｄ４５ｔ／ｄ３４ｔ＜７．０‥‥‥（１１）
−０．１＜（ｍ２／ｆ２）／（β２ｔ／β２ｗ）＜０．２‥‥‥（１２）
−１．２＜５／ｆ４＜−０．７‥‥‥（１３）
０．６＜｜ｆ３ｎ｜／ｆ３＜１．５‥‥‥（１４）
なる条件式のうち１以上を満足するのが良い。
【００５２】
次に前述した条件式の技術的意味について説明する。条件式（４）は第４レンズ群Ｌ４の焦点距離を規定するものである。条件式（４）の上限値を超えて第４レンズ群の焦点距離が大きくなる、すなわち屈折力が小さくなりすぎると、望遠端での防振敏感度が小さくなりすぎ、望遠端で十分な手ぶれ補正角を実現することが困難となる。逆に条件式（４）の下限値を超えて第４レンズ群の焦点距離が小さくなりすぎる、すなわち屈折力が小さくなりすぎると、像ブレ補正で第４レンズ群をシフトさせたときの偏心色収差が大きくなりすぎ、１枚のレンズ構成では補正しきれなくなる。
【００５３】
また結像面の近傍で軸外光束が受ける第４レンズ群での発散作用が強くなりすぎ、ズーミングやフォーカシングに伴う第５レンズ群の移動で結像面の軸外光線の入射角変動が大きくなりすぎ、ズーム全域でテレセントリック性を確保することが困難となり良くない。
【００５４】
条件式（５）は第４レンズ群Ｌ４を構成するレンズの形状を規定する式である。条件式（５）の範囲は、レンズの両面が凹形状であることを意味している。条件式（５）の上限値を超えて物体側の面の曲率が像面側の面の曲率に比べて強くなりすぎると、第４レンズ群の物体側の面に対し収斂光線として入射する光線角度が大きくなり、像ブレ補正時の球面収差変動が大きくなりすぎる。逆に条件式（５）の下限値を超えて像面側の面の曲率が強くなりすぎると、第４レンズ群から発散光線で射出する軸外光線の射出角度が大きくなり、像ブレ補正時の像面湾曲や非点収差の発生量が大きくなりすぎてしまう。
【００５５】
条件式（６）は第２レンズ群の最も物体側にある負レンズＬｎ２の材料の屈折率を規定する式である。第２レンズ群は大きな入射角を有する広角端の軸外光線に対し、後続の絞りおよび第３レンズ群に入射する光線入射角が小さくなるように屈折させる作用を持たせている。そのため第２レンズ群の最も物体側の負レンズＬｎ２に強い屈折力を持たせて広角端の軸外光線を大きく屈折させることで後続のレンズ群を小型化でき、レンズ全系をコンパクトに構成できる。条件式（６）の下限値を超えて負レンズＬｎ２の屈折率が小さくなりすぎると、第３レンズ群以降のレンズが大型化し、レンズ全系をコンパクトにすることが困難となる。また高変倍比を有する正負正負正の５群タイプのズームレンズをコンパクトに構成するには、変倍作用を有する負の第２レンズ群に大きな屈折力を与えるため、レンズ全系のペッツバール和が負になりやすい。そのため条件式（６）の下限値を超えて負レンズＬｎ２の屈折率が小さくなりすぎると、ペッツバール和が負に大きくなり、ズーム全域で像面湾曲および非点収差を良好に保つことが困難となる。また負レンズＬｎ２の曲率が強くなりすぎ、軸外光線に対して倍率色収差、像面湾曲、非点収差およびコマ収差のズーム変動が大きくなりすぎ、高変倍比の達成が困難となる。
【００５６】
条件式（７）は第３レンズ群の最も強い屈折力を有する負レンズＬｎ３の材料の屈折率を規定する式である。条件式（７）の下限値を超えて負レンズＬｎ３の屈折率が小さくなりすぎると、ペッツバール和が負に大きくなりすぎる。その結果、ズーム全域にわたって像面湾曲および非点収差を良好に保つことが困難となる。
【００５７】
条件式（８）は、第１レンズ群Ｌ１の焦点距離を規定する式である。条件式（８）の上限値を超えて第１レンズ群の焦点距離が大きくなりすぎると、第２レンズ群に十分な変倍比を付与できず、高変倍比を実現することが困難となる。条件式（８）の下限値を超えて第１レンズ群の焦点距離が小さくなりすぎると、第１レンズ群で発生する望遠端での軸上色収差、球面収差が大きくなりすぎて良くない。
【００５８】
条件式（９）は望遠端における第４レンズ群の光軸と垂直方向への成分の移動量とこれに伴い発生する結像面上の像点移動量の比を表わす防振敏感度を規定する式である。条件式（９）の数値は絶対値が大きいほど少ない移動量で像点移動が可能であり、マイナスの符号は第４レンズ群の移動方向と像点移動方向が逆方向であることを表わしている。
【００５９】
条件式（９）の上限値を超えて防振敏感度の絶対値が小さくなりすぎると、望遠端で像ぶれ補正に必要な第４レンズ群の光軸と垂直方向の移動量が大きくなりすぎ、駆動機構が大型化してレンズ系全体のコンパクト化が困難となる。逆に条件式（９）の下限値を超えて防振敏感度の絶対値が大きくなりすぎると、第４レンズ群の光軸と垂直方向の移動量に対する像点移動量が大きくなりすぎ、第４レンズ群の移動量を適正に制御することが困難となる。
【００６０】
条件式（１０）は、第３レンズ群Ｌ３と第４レンズ群Ｌ４の焦点距離を規定する式である。条件式（１０）の上限値を超えて第３レンズ群の焦点距離が小さい、すなわち屈折力が強くなりすぎると、第３レンズ群で発生する球面収差や軸上色収差が増大し、他のレンズ群で補正しきれなくなる。逆に条件式（１０）の下限値を超えて第３レンズ群の焦点距離が大きい、すなわち屈折力が弱くなりすぎると、第３レンズ群での光束収斂作用が不足し第４レンズ群を通過する光線高さが大きくなりすぎ、防振を行う補正レンズの有効径が大型化する。その結果、レンズ系全体のコンパクト化が困難となる。
【００６１】
条件式（１１）は望遠端での第４―第５レンズ群間隔および第３−第４レンズ群間隔を規定する式である。
【００６２】
条件式（１１）の上限値を超えて望遠端で第４−第５レンズ群間隔が大きくなりすぎると、発散作用を有する第４レンズ群を通過した軸外光束が第５レンズ群に入射する光線高さが高くなりすぎる。その結果、望遠端で軸外光線がセンサに入射する光線角度が大きくなりテレセントリック性を保つことが困難となる。また第５レンズ群のレンズ径が大型化し、フォーカシング時の駆動トルクが増大するため、レンズ系全体のコンパクトが困難となる。
【００６３】
逆に条件式（１１）の下限値を超えて望遠端で第３−第４レンズ群間隔が大きくなりすぎると、第４レンズ群に入射する軸上および軸外光線高さが大きくなりすぎる。レンズ径が大型化し、レンズ重量も大きくなるため像ぶれ補正のための第４レンズ群を駆動するトルクが増大するため像ぶれシフト機構が大型化してしまい良くない。
【００６４】
条件式（１２）は第２レンズ群のズームストロークと変倍比を規定する式である。条件式（１２）の上限値を超えて第２レンズ群の変倍比（β２ｔ／β２ｗ）が小さくなりすぎると、本発明の目的である高変倍比の達成が困難となる。  条件式（１２）の下限値を超えて第２レンズ群が広角端に比べ望遠端で像面側に位置する方向にズームストロークが大きくなりすぎると、望遠端でレンズ全長が増大し良くない。
【００６５】
条件式（１３）は第４レンズ群と第５レンズ群の焦点距離を規定する式である。条件式（１３）の上限値を超えて第４レンズ群に対して第５レンズ群の焦点距離の絶対値が小さい、すなわち第５レンズ群の屈折力が強くなりすぎると、ズーミングおよびフォーカシングに伴う結像面での軸外光線の入射角変動が大きくなりすぎる。その結果、ズーム全域でテレセントリック性を確保することが困難となる。逆に条件式（１３）の下限値を超えて第５レンズ群に対し第４レンズ群の屈折力が強くなりすぎると、像ブレ補正で第４レンズ群をシフトさせたときの偏心色収差が大きくなりすぎ、１枚のレンズ構成では補正しきれなくなる。
【００６６】
条件式（１４）は第３レンズ群の最も強い屈折力を有する負レンズの焦点距離ｆ３ｎを規定する式である。条件式（１４）の上限値を超えてｆ３ｎが大きくなりすぎると、第３レンズ群で発生する軸上色収差が補正不足となる。逆に条件式（１４）の下限値を超えてｆ３ｎが小さくなりすぎると、第３レンズ群で発生する軸上色収差がオーバー側に補正過剰となる。軸上色収差が補正不足と補正過剰のいずれの場合も、第３レンズ群の残存色収差が大きくなりすぎ、他のレンズ群で補正することが困難となる。
【００６７】
更に好ましくは条件式（４）、（５）、（７）〜（１４）の数値範囲を次の如く設定するのが良い。
【００６８】
０．１３＜｜ｆ４｜／ｆｔ＜０．４０‥‥‥（４ａ）
−０．３７＜（Ｒ４ａ＋Ｒ４ｂ）／（Ｒ４ｂ−Ｒ４ａ）＜０．１５‥‥（５ａ）
ｎｄ３＞１．９５‥‥‥（７ａ）
７．０＜ｆ１／ｆｗ＜１１．０‥‥‥（８ａ）
−１．３＜（１−β４ｔ）／β５ｔ＜−０．８‥‥‥（９ａ）
１．４＜｜ｆ４｜／ｆ３＜３．５‥‥‥（１０ａ）
１．５＜ｄ４５ｔ／ｄ３４ｔ＜６．０‥‥‥（１１ａ）
−０．０８＜（ｍ２／ｆ２）／（β２ｔ／β２ｗ）＜０．１５‥‥（１２ａ）
−１．１＜ｆ５／ｆ４＜−０．８‥‥‥（１３ａ）
０．７＜｜ｆ３ｎ｜／ｆ３＜１．３‥‥‥（１４ａ）
またさらに好ましくは条件式（４ａ）、（５ａ）、（７ａ）〜（１４ａ）の数値範囲を次の如く設定すると各条件式の意味する効果が確実に得られる。
【００６９】
０．１６＜｜ｆ４｜／ｆｔ＜０．３０‥‥‥（４ｂ）
−０．３４＜（Ｒ４ａ＋Ｒ４ｂ）／（Ｒ４ｂ−Ｒ４ａ）＜０．１２‥‥（５ｂ）
ｎｄ３＞２．０‥‥‥（７ｂ）
７．５＜ｆ１／ｆｗ＜１０．０‥‥‥（８ｂ）
−１．１５＜１−β４ｔ）／β５ｔ＜−０．８５‥‥‥（９ｂ）
１．７＜｜ｆ４｜／ｆ３＜３．０‥‥‥（１０ｂ）
２．０＜ｄ４５ｔ／ｄ３４ｔ＜５．０‥‥‥（１１ｂ）
−０．０６＜（ｍ２／ｆ２）／（β２ｔ／β２ｗ）＜０．１２‥‥（１２ｂ）
−１．０＜ｆ５／ｆ４＜−０．８５‥‥‥（１３ｂ）
０．８＜｜ｆ３ｎ｜／ｆ３＜１．１‥‥‥（１４ｂ）
各実施例では、望遠端において無限遠物体から近距離物体へフォーカスを行う場合には各レンズ断面図の矢印５ｃに示すように第５レンズ群Ｌ５を前方に繰り出すことによって行っている。
【００７０】
第５レンズ群Ｌ５に関する実線の曲線５ａと点線の曲線５ｂは各々無限遠物体と近距離物体にフォーカスしているときの広角端から望遠端へのズーミングに伴う際の像面変動を補正するための移動軌跡を示している。
【００７１】
第５レンズ群Ｌ５は正レンズと負レンズの各１枚とで構成することが望ましい。本構成によりフォーカシングに伴う倍率色収差や像面湾曲等の収差変動を抑制している。第５レンズ群Ｌ５を３枚以上のレンズで構成すると、像ぶれ補正やフォーカシングに伴う収差変動をより補正しやすくなるが、ズーミングやフォーカシングに必要な駆動トルクが増大し、アクチュエータが大型化するため光学系全体のコンパクト化が困難となる。
【００７２】
次に各実施例の特長について説明する。また、各実施例のレンズ構成についても説明する。レンズ構成については、特に断りがない限り、物体側から像面側へ配置されているとして説明する。
【００７３】
実施例１〜５では、物体側より像側へ順に、正の屈折力の第１レンズ群、負の屈折力の第２レンズ群、開口絞り、正の屈折力の第３レンズ群、負の屈折力の第４レンズ群、正の屈折力の第５レンズ群から構成している。
【００７４】
広角端から望遠端へのズーミングに際し、第１レンズ群は像面側に凸状の軌跡を描いて移動させ、前玉径の小型化に有利な軌跡としている。
【００７５】
第２レンズ群はズーミングに際し、実施例１〜３では像面側に凸状の軌跡を描いて移動させている。実施例４、５では広角端から最初は像面側に凸状の軌跡を描いて移動し、その後物体側に凸状の軌跡を描いて移動させている。
【００７６】
第２レンズ群を上記のように移動させることで中間ズーム位置を含めてズーム全域で像面湾曲や非点収差等の諸収差を効果的に補正している。
【００７７】
第３レンズ群はズーミングに際し物体側に移動させることで変倍を行っている。
【００７８】
また第４レンズ群はズーミングに際して物体側に移動させることで、変倍作用を持たせて高倍化とコンパクト化を達成している。
【００７９】
第５レンズ群は物体側に凸状の軌跡を描いて移動させ、第４レンズ群と結像面との空間を効果的に使用してズーミングに伴う像面補正を行っている。
【００８０】
各実施例において、第１レンズ群は物体側から順に物体側に凸面を向けたメニスカス形状の負レンズと物体側に凸面を有する正レンズとの接合レンズ、物体側に凸面を向けたメニスカス形状の正レンズから構成している。
【００８１】
第１レンズ群を３枚のレンズで構成することで、高変倍ながら球面収差と、軸上色収差および倍率色収差の各色補正を行っている。
【００８２】
第２レンズ群は物体側から順に、像側に強い凹面を向けた負レンズ、両凹負レンズ、物体側に凸面を向けた正レンズの３枚で構成し、ズーミングに伴う像面湾曲、非点収差、倍率色収差の変動を抑制している。
【００８３】
実施例５では第２レンズ群の負レンズのレンズ面を非球面とすることでズーミングに伴う周辺画角での像面変動をより高度に補正している。
【００８４】
第３レンズ群Ｌ３は正レンズ２枚と負レンズ１枚から構成している。
【００８５】
各実施例では、両凸形状の正レンズ、像面側に強い凹面を向けた負レンズ、両凸形状の正レンズから構成している。
【００８６】
第３レンズ群を本構成にして、球面収差、軸上色収差、ズーミングに伴う像面湾曲や非点収差の変動を抑制している。また像ぶれ補正時に第４レンズ群で発生する偏心コマ収差、偏心像面湾曲等の偏心収差を良好に補正している。
【００８７】
また各実施例では、第３レンズ群を構成する１以上のレンズのレンズ面を非球面とすることで、球面収差やズーミングに伴う像面湾曲や非点収差を効果的に補正している。
【００８８】
開口絞りは第３レンズ群の内部に配置し、レンズ間の空気間隔を有効に活用してレンズ全長の小型化を図っている。
【００８９】
また開口絞りを第３レンズ群の物体側に配置する構成に比べ、望遠端で第２レンズ群と第３レンズ群とをより接近させることができ、高変倍化とレンズ系のコンパクト化とを両立させている。
【００９０】
各実施例では開口絞り径はズーミングに際して一定としているが、可変としても良い。一定とすると、絞り径の制御を簡素化できる。一方可変とすると各ズームポジションで球面収差やフレアを制御できる自由度が上がり、ズーム全域でより細かく光学特性の最適化が可能となる。
【００９１】
第４レンズ群は負レンズ１枚から構成することで軽量化を図り、防振機構の小型化を図りレンズ全系のコンパクト化に貢献している。
【００９２】
また各レンズ群の屈折力配置やズーミング時の移動軌跡の適正化に加えて、偏心収差の抑制により重点をおいて補正レンズである第４レンズ群の材料の光学定数、屈折力、および形状を最適化している。
【００９３】
第４レンズ群の負レンズを構成する材料を分散の小さなものとし、変倍および像ぶれ補正時の偏心に伴う色収差の発生を抑制している。また本レンズに異常分散性のある材料を使用することは、第３レンズ群の残存２次スペクトルを補正する上で効果がある。
【００９４】
本負レンズを両凹形状にし、物体側と像面側の両方のレンズ面の曲率を最適な範囲に設定することで、変倍および像ぶれ補正時の像面変動を抑制している。
【００９５】
また実施例５では本負レンズのレンズ面を非球面とすることで、変倍および像ぶれ補正時の像面変動の補正の自由度を高めている。
【００９６】
以上、本発明の好ましい実施形態について説明したが、本発明はこれらの実施形態に限定されず、その要旨の範囲内で種々の変形及び変更が可能である。
【００９７】
次に本発明のズームレンズを撮影光学系として用いたデジタルスチルカメラの実施例を図１６を用いて説明する。
【００９８】
図１６において、２０はカメラ本体、２１は実施例１〜５で説明したいずれかのズームレンズによって構成された撮影光学系である。
【００９９】
２２はカメラ本体に内蔵され、撮影光学系２１によって形成された被写体像を受光するＣＣＤセンサやＣＭＯＳセンサ等の固体撮像素子（光電変換素子）である。２３は固体撮像素子２２によって光電変換された被写体像に対応する情報を記録するメモリである。
【０１００】
２４は液晶ディスプレイパネル等によって構成され、固体撮像素子２２上に形成された被写体像を観察するためのファインダである。
【０１０１】
このように本発明のズームレンズをデジタルスチルカメラやビデオカメラ等の撮像装置に適用することにより、小型で高い光学性能を有する撮像装置が実現できる。
【０１０２】
各実施例において広角端近傍では負の歪曲を大きく発生させて、前記固体撮像素子の撮像範囲をそれ以外のズームポジションより小さい範囲に設定している。
【０１０３】
得られた画像情報は、前期固体撮像素子の画像データを処理する信号処理回路で、歪曲を電気的に補正することで歪曲の少ない画像を出力することも可能である。
【０１０４】
以下に本発明の各実施例に対応する数値実施例を示す。各数値実施例において面番号は物体側からの光学面の順序を示し、ｒは光学面の曲率半径、ｄは面間隔、ｎｄとνｄはそれぞれｄ線に対する光学部材の材料の屈折率、アッベ数を示す。面番号の＊は非球面であることを示す。
【０１０５】
バックフォーカス（ＢＦ）は、レンズ最終面から近軸像面までの距離を空気換算した値、レンズ全長は、レンズ最前面からレンズ最終面までの距離にバックフォーカス（ＢＦ）を加えた値と定義する。長さの単位は、ｍｍである。またＫを離心率、Ａ４、Ａ６、Ａ８、Ａ１０、Ａ１２を非球面係数、光軸からの高さＨの位置での光軸方向の変位を面頂点を基準にしてｘとするとき、非球面形状は、
【０１０６】
【数１】
2016014803.tif 000003
【０１０７】
で表示される。
【０１０８】
但しＲは曲率半径である。また例えば「ｅ−Ｚ」の表示は「１０−Ｚ」を意味する。また、各数値実施例における上述した条件式との対応を表１に示す。ｆは焦点距離、ＦｎｏはＦナンバー、ωは半画角を示す。半画角は光線トレースにより求めた値である。
【０１０９】
［数値実施例１］
単位 mm
面データ
面番号       r        d      nd         vd
1         35.769    0.76   1.84666    23.9           
2         23.198    3.02   1.49700    81.5           
3        310.510    0.13                             
4         26.209    2.05   1.69680    55.5           
5        114.561  (可変)                             
6       -171.972    0.40   1.91082    35.3           
7          5.601    2.44                             
8        -15.311    0.40   1.80400    46.6           
9         26.428    0.19                             
10         12.892    1.35   1.95906    17.5           
11       -367.178  (可変)                             
12*         6.679    1.32   1.58313    59.4           
13*      -151.514    0.92                             
14(絞り)    ∞       1.48                             
15         91.587    0.50   2.00100    29.1           
16          8.645    0.07                             
17*         9.715    1.50   1.55332    71.7           
18*        -9.236  (可変)                             
19        -21.837    0.40   1.49700    81.5           
20         16.848  (可変)                             
21         15.008    2.18   1.78800    47.4           
22        -25.719    0.50   1.92286    18.9           
23       -102.359  (可変)                             
24          ∞       0.80   1.51633    64.1           
25          ∞       0.50                             
像面        ∞   
非球面データ
第12面
K =-8.54997e-001  A 4= 1.14420e-004  A 6=-2.74630e-006  A 8=-8.59125e-007  A10=-1.08460e-007  
第13面
K = 0.00000e+000  A 4= 6.21620e-005  A 6= 6.45344e-007  A 8=-2.83749e-006  
第17面
K = 0.00000e+000  A 4=-6.51852e-004  A 6=-1.03003e-006  A 8=-5.00000e-006  
第18面
K =-1.74827e-001  A 4=-5.04009e-005  A 6= 1.04047e-005  A 8=-4.64252e-006  
各種データ
ズーム比     18.99 
広角     中間     望遠
焦点距離       4.62    20.43    87.75  
Fナンバー      3.29     4.83     6.70  
画角          38.84    10.11     2.33  
像高           3.10     3.63     3.63  
レンズ全長    49.54    60.18    73.56  
BF             8.23    14.15     5.89  
d 5            0.84    13.79    23.82  
d11           16.67     4.57     0.45  
d18            1.79     4.40     6.66  
d20            2.40     3.66    17.13  
d23            7.20    13.13     4.86  
ズームレンズ群データ
群  始面    焦点距離  
1    1      36.56  
2    6      -5.90  
3   12      10.44  
4   19     -19.07  
5   21      17.88  
［数値実施例２］
面データ
面番号       r        d      nd         vd
1         36.346    0.70   1.84666    23.9           
2         24.515    2.97   1.49700    81.5           
3      -7507.348    0.10                             
4         24.498    2.14   1.60311    60.6           
5         88.501  (可変)                             
6       -286.492    0.42   2.00100    29.1           
7          5.748    2.34                             
8        -18.265    0.40   1.77250    49.6           
9         15.030    0.35                             
10         11.930    1.39   2.10205    16.8           
11        193.169  (可変)                             
12*         7.139    1.30   1.62263    58.2           
13*       -49.323    0.92                             
14(絞り)    ∞       1.48                             
15         20.847    0.50   2.00069    25.5           
16          6.796    0.23                             
17*         9.224    1.50   1.49710    81.6           
18*        -9.524  (可変)                             
19        -15.994    0.40   1.43387    95.1           
20         20.166  (可変)                             
21         15.207    2.08   1.72916    54.7           
22        -28.352    0.50   2.00272    19.3           
23        -70.619  (可変)                             
24          ∞       0.80   1.51633    64.1           
25          ∞       0.42                             
像面        ∞   
非球面データ
第12面
K = 2.37627e+000  A 4=-1.26631e-003  A 6=-7.44669e-005  A 8=-2.47251e-006  A10=-3.98174e-007  
第13面
K = 0.00000e+000  A 4=-8.54519e-005  A 6=-4.00376e-005  A 8=-3.23225e-006  
第17面
K = 0.00000e+000  A 4=-2.78199e-004  A 6=-6.62123e-005  
第18面
K = 7.73980e+000  A 4= 1.13024e-003  A 6= 1.17708e-005  A 8= 4.33949e-006  A10= 1.47962e-007  
各種データ
ズーム比     20.92 
広角     中間     望遠
焦点距離       4.30    19.53    90.00  
Fナンバー      3.37     5.05     6.90  
画角          40.91    10.55     2.28  
像高           3.10     3.63     3.63  
レンズ全長    48.55    57.51    75.46  
BF             5.56    12.18     6.08  
d 5            0.94    13.45    24.63  
d11           16.84     4.10     0.44  
d18            2.70     5.57     4.44  
d20            2.79     2.48    20.14  
d23            4.62    11.24     5.13  
ズームレンズ群データ
群  始面    焦点距離  
1    1      37.27  
2    6      -5.65  
3   12       9.95  
4   19     -20.49  
5   21      19.19  
［数値実施例３］
面データ
面番号       r        d      nd         vd
1         36.025    0.70   1.84666    23.9           
2         24.674    3.02   1.49700    81.5           
3       1242.622    0.10                             
4         25.703    2.06   1.60311    60.6           
5         92.253  (可変)                             
6        391.477    0.42   2.00100    29.1           
7          5.574    2.45                             
8        -17.215    0.40   1.77250    49.6           
9         13.977    0.35                             
10         11.610    1.41   2.10205    16.8           
11        196.649  (可変)                             
12*         6.699    1.30   1.62263    58.2           
13*       -51.608    0.75                             
14(絞り)    ∞       1.30                             
15         18.613    0.50   2.00069    25.5           
16          6.084    0.25                             
17*         8.552    1.35   1.55332    71.7           
18*       -11.339  (可変)                             
19        -38.716    0.40   1.59522    67.7           
20         19.472  (可変)                             
21         14.631    1.74   1.72000    50.2           
22        -33.404    0.50   1.92286    20.9           
23       -126.292  (可変)                             
24          ∞       0.80   1.51633    64.1           
25          ∞       0.40                             
像面        ∞   
非球面データ
第12面
K = 1.85784e+000  A 4=-1.57017e-003  A 6=-9.09436e-005  A 8=-6.00003e-006  A10=-4.08674e-007  
第13面
K = 0.00000e+000  A 4=-5.05329e-004  A 6=-5.67918e-005  A 8=-6.17175e-006  
第17面
K = 0.00000e+000  A 4=-4.08378e-004  A 6=-2.05576e-005  
第18面
K = 1.07706e+001  A 4= 8.69758e-004  A 6= 3.93611e-006  A 8= 1.01161e-005  A10=-7.07619e-007  
各種データ
ズーム比     22.38 
広角     中間     望遠
焦点距離       4.02    19.14    90.00  
Fナンバー      3.36     5.21     7.00  
画角          42.77    10.74     2.27  
像高           3.10     3.63     3.63  
レンズ全長    48.18    57.27    75.92  
BF             5.27    11.39     6.05  
d 5            0.87    13.61    25.95  
d11           17.14     3.86     0.44  
d18            2.26     6.38     4.48  
d20            3.66     3.04    20.01  
d23            4.34    10.46     5.12  
ズームレンズ群データ
群  始面    焦点距離  
1    1      38.80  
2    6      -5.52  
3   12       9.63  
4   19     -21.71  
5   21      19.88  
［数値実施例４］
面データ
面番号       r        d      nd         vd
1         38.050    0.70   1.84666    23.9           
2         23.634    2.67   1.59522    67.7           
3        307.768    0.12                             
4         24.843    1.75   1.60311    60.6           
5         90.052  (可変)                             
6        112.733    0.35   1.91082    35.3           
7          5.593    2.98                             
8        -22.046    0.30   1.80400    46.6           
9         16.698    0.35                             
10         11.694    1.38   1.95906    17.5           
11        106.821  (可変)                             
12*         6.574    1.02   1.58313    59.4           
13*       279.042    0.92                             
14(絞り)    ∞       1.48                             
15         33.627    0.50   2.00100    29.1           
16          7.481    0.12                             
17*         8.544    1.14   1.55332    71.7           
18*        -9.554  (可変)                             
19        -20.057    0.40   1.49700    81.5           
20         16.200  (可変)                             
21         15.471    2.17   1.83481    42.7           
22        -20.889    0.50   1.95906    17.5           
23        -87.753  (可変)                             
24          ∞       0.80   1.51633    64.1           
25          ∞       0.50                             
像面        ∞   
非球面データ
第12面
K =-1.19012e+000  A 4= 3.78378e-004  A 6=-5.62272e-005  A 8= 6.11483e-006  A10=-1.99390e-007  
第13面
K = 0.00000e+000  A 4= 1.96627e-004  A 6=-6.27218e-005  A 8= 5.72183e-006  
第17面
K = 0.00000e+000  A 4=-4.03137e-004  A 6=-8.84088e-005  A 8= 9.04317e-006  
第18面
K = 1.78512e+000  A 4= 3.12130e-004  A 6=-4.65002e-005  A 8= 3.69814e-006  
各種データ
ズーム比     17.51 
広角     中間     望遠
焦点距離       4.05    16.67    71.00  
Fナンバー      3.43     4.94     6.59  
画角          42.54    12.38     2.89  
像高           3.10     3.63     3.63  
レンズ全長    49.58    57.66    70.65  
BF             7.71    12.26     6.65  
d 5            0.44    11.85    23.15  
d11           18.57     5.03     0.46  
d18            1.69     4.30     6.64  
d20            2.33     5.38    14.90  
d23            6.68    11.23     5.62  
ズームレンズ群データ
群  始面    焦点距離  
1    1      36.85  
2    6      -6.08  
3   12      10.20  
4   19     -17.97  
5   21      17.10  
［数値実施例５］
面データ
面番号       r        d      nd         vd
1         34.662    0.20   2.00069    25.5           
2         23.353    2.71   1.49700    81.5           
3       1137.961    0.10                             
4         25.262    1.98   1.69680    55.5           
5        103.183  (可変)                             
6         65.071    0.10   2.00330    28.3           
7          5.312    2.92                             
8*       -16.784    0.10   1.85135    40.1           
9         14.704    0.10                             
10         11.172    1.24   2.10205    16.8           
11       -289.767  (可変)                             
12*         6.830    1.09   1.66910    55.4           
13*      -224.480    0.80                             
14(絞り)    ∞       1.52                             
15         45.346    0.15   2.00100    29.1           
16          7.915    0.10                             
17*        10.355    1.30   1.49710    81.6           
18*       -10.304  (可変)                             
19        -34.202    0.20   1.55332    71.7           
20*        17.822  (可変)                             
21         17.053    1.63   1.81600    46.6           
22        -23.221    0.20   1.95906    17.5           
23        -72.836  (可変)                             
24          ∞       0.80   1.51633    64.1           
25          ∞       0.50                             
像面        ∞   
非球面データ
第8面
K = 0.00000e+000  A 4= 4.91957e-005  A 6=-3.77151e-006  A 8= 4.80021e-009  
第12面
K =-1.93609e+000  A 4= 4.16456e-004  A 6= 2.31697e-005  A 8= 5.51237e-006  A10= 4.23343e-008  
第13面
K = 0.00000e+000  A 4=-1.11116e-004  A 6= 6.39525e-005  A 8= 5.08796e-006  
第17面
K = 0.00000e+000  A 4=-4.81359e-004  A 6= 2.06880e-004  A 8= 2.28249e-005  
第18面
K = 2.13963e-001  A 4= 2.41602e-004  A 6= 8.60532e-005  A 8= 3.29379e-005  
第20面
K =-4.55814e+001  A 4= 9.99930e-004  A 6=-5.02047e-005  
各種データ
ズーム比     29.97 
広角     中間     望遠
焦点距離       3.85    21.21   115.50  
Fナンバー      3.49     5.37     7.20  
画角          43.93     9.65     1.77  
像高           3.10     3.63     3.63  
レンズ全長    50.58    62.55    73.14  
BF             8.22    13.92     5.89  
d 5            0.25    15.29    25.49  
d11           20.53     6.12     0.20  
d18            1.84     5.83     6.38  
d20            3.30     4.97    18.76  
d23            7.20    12.89     4.86  
ズームレンズ群データ
群  始面    焦点距離  
1    1      36.13  
2    6      -5.61  
3   12      10.82  
4   19     -21.15  
5   21      18.35  
【０１１０】
【表１】
2016014803.tif 000004
【０１１１】
本発明は、ズームレンズ及びそれを有する撮像装置に関し、例えばビデオカメラや電子スチルカメラ、放送用カメラ、監視カメラ等のように固体撮像素子を用いた撮像装置、或いは銀塩写真用のカメラ等に好適なものである。
【符号の説明】
【０１１２】
Ｌ１  第１レンズ群、Ｌ２  第２レンズ群、Ｌ３  第３レンズ群、Ｌ４  第４レンズ群、
Ｌ５  第５レンズ群、ｄ  ｄ線、ｇ  ｇ線、Ｃ  Ｃ線、Ｆ  Ｆ線、
ΔＭ  メリジオナル像面、ΔＳ  サジタル像面、Ｍ  メリジオナル面光束の横収差、
Ｓ  サジタル面光束の横収差、ＳＰ  絞り、ＩＰ  結像面、
Ｇ  ＣＣＤのフェースプレートやローパスフィルター等のガラスブロック、
ω  半画角、Ｆｎｏ  Ｆナンバー
【図１】
2016014803.tif 000005
【図２】
2016014803.tif 000006
【図３】
2016014803.tif 000007
【図４】
2016014803.tif 000008
【図５】
2016014803.tif 000009
【図６】
2016014803.tif 000010
【図７】
2016014803.tif 000011
【図８】
2016014803.tif 000012
【図９】
2016014803.tif 000013
【図１０】
2016014803.tif 000014
【図１１】
2016014803.tif 000015
【図１２】
2016014803.tif 000016
【図１３】
2016014803.tif 000017
【図１４】
2016014803.tif 000018
【図１５】
2016014803.tif 000019
【図１６】
2016014803.tif 000020